(57)【要約】      （修正有）【課題】金属製昇降用ステップが危険な状態になっている既設マンホールの更生を簡単に行うことができるマンホール蓋受枠を提供すると共に、これからの新設マンホールの製造の簡単化に役立つマンホール蓋受枠及びそれを用いた新しいタイプのマンホールを提供する。【解決手段】マンホール蓋受枠Ｂは、マンホール蓋受枠本体１の内側に梯子取付部１２を設け、この梯子取付部１２に梯子２の上部をボルト２２とナットで固定し、この梯子２の下部と中間にベース部６ａがマンホールＡの内壁に接する支持脚６を設ける。マンホールＡは、マンホール蓋受枠Ｂを用いる。【選択図】図１
0003155474.tif 000002
【実用新案登録請求の範囲】
【請求項１】
マンホール蓋受枠本体の内側に梯子取付部を設け、この梯子取付部に梯子の上部を固定し、且つ、この梯子の少なくとも下部に、ベース部がマンホール内壁に接する支持脚を設けたことを特徴とするマンホール蓋受枠。
【請求項２】
マンホール蓋受枠本体の内側に梯子取付部を設け、この梯子取付部にベース部がマンホールの内壁に接する支持脚を適数本設けた梯子の上部を固定したマンホール蓋受枠を用いたことを特徴とするマンホール。
【考案の詳細な説明】
【技術分野】
【０００１】
本考案は、マンホール蓋受枠及びそれを用いたマンホールに関するものである。      
【背景技術】
【０００２】
周知のように、上下水道マンホールの直壁、片斜壁、両斜壁には、作業員昇降用の金属製のステップが植設されている。ところが、設置から２０年以上経った既設マンホールに前記ステップが腐食し、昇降が危険な状態になっているものがあり、問題になっている。
【０００３】
この既設マンホールのステップを更生する場合、新設マンホールのように埋設基部をＬ状に屈曲したＵ字状のステップを取り付けることは技術的に困難であり、また梯子をマンホール内壁に取付ける方法は、コンクリートが劣化しているので取付の安全性に問題がある。
【先行技術文献】
【特許文献】
【０００４】
【特許文献１】実開平４−１３８４４２号公報
【特許文献２】実開昭５７−１９７５４４号公報
【特許文献３】実公昭４８−３４７５２号公報
【考案の概要】
【考案が解決しようとする課題】
【０００５】
そこで、本考案は、金属製昇降用ステップが危険な状態になっている既設マンホールの更生を簡単に行うことができるマンホール蓋受枠を提供すると共に、これからの新設マンホールの製造の簡単化に役立つマンホール蓋受枠及びそれを用いた新しいタイプのマンホールを提供しようとするものである。
【課題を解決するための手段】
【０００６】
本考案は、上記の課題を解決するためになされたもので、請求項１記載の考案は、マンホール蓋受枠本体の内側に梯子取付部を設け、この梯子取付部に梯子の上部を固定し、且つ、この梯子の少なくとも下部に、ベース部がマンホール内壁に接する支持脚を設けたことを特徴とするマンホール蓋受枠である。
【０００７】
請求項２記載の考案は、マンホール蓋受枠本体の内側に梯子取付部を設け、この梯子取付部にベース部がマンホールの内壁に接する支持脚を適数本設けた梯子の上部を固定したマンホール蓋受枠を用いたことを特徴とするマンホールである。
【０００８】
梯子に設けた支持脚は、マンホールの内側に固定しなくとも使用上問題はないが、安心のためにマンホールの内側にアンカーボルト等で止めてもよい。
【考案の効果】
【０００９】
請求項１記載のマンホール蓋受枠は、支持脚付の梯子を内側に吊下げたマンホール蓋受枠であるため、昇降ステップの更生を必要とする既設マンホールがあった場合、その既設マンホールの上部に設置したマンホール蓋受枠を本案のマンホール蓋受枠と交換するだけで更生作業は完了する。従って、マンホールの内壁に新しい金属ステップを取付けたり、梯子を取付けるよりも遥かに短時間で更生作業を終了することが出来るので、交通量の多い既設マンホールのステップ更生用マンホール蓋受枠として極めて有効な方法であり、工事費が安価に済むことと相俟って、頗る有益な考案である。
【００１０】
なお、支持脚をマンホール側壁に固定していなくとも、昇降時に体は垂直ではなく、後に反った斜めの状態になり、梯子をマンホール側壁に向って押圧することになるので、昇降に支障を来たすことはない。念のため支持脚のベースに凹凸又はゴム片等の滑り止めを施せば昇降に不安を感じることはない。
【００１１】
そして、マンホールの構造を請求項１記載のマンホール蓋受枠を用いたものとすると、従来、ステップを植設するために必要な、マンホールの直壁、片斜壁、両斜壁の製造に必要な型枠は、簡単な構造のもので済むため、マンホールの製造が極めて容易になると共に梯子の取替えが可能であるから、請求項２記載のマンホールは新しいタイプのものとして産業上極めて有益なものである。
【図面の簡単な説明】
【００１２】
【図１】本考案の実施例１のマンホールの縦断面図。
【図２】本考案の実施例１のマンホール蓋受枠の平面図。
【図３】本考案の実施例２のマンホール蓋受枠の平面図。
【考案を実施するための形態】
【実施例１】
【００１３】
図１は本考案に係るマンホール蓋受枠Ｂを具えたマンホールＡの縦断面図、図２はそのマンホール蓋受枠の平面図で、１はマンホール蓋受枠本体、２は梯子、３はマンホールＡを構成する両斜壁、４及び５は直壁である。
【００１４】
マンホール蓋受枠本体１は、図２に示すように内側に昇降時に使用するハンドグリップ１１，１１と、梯子取付部１２，１２が設けられていて、この梯子取付部１２，１２にステンレス製の梯子２の縦桟２１の上端が、ボルト２２とナット２３により連結されている。
【００１５】
そして梯子取付部１２，１２に連結され吊下げられた梯子２の下部と中間部分には長さが調整可能の支持脚６，６が設けらていて、そのベース部６ａ，６ａは、マンホールＡの内壁に接触するようになっている。なお、実施例の場合、滑り止めとしてベース部６ａ，６ａの下面にゴム片が取付けられている。
【００１６】
以上のようにマンホール蓋受枠Ｂは構成されているので、マンホールＡが既設のものであって、ステップの更生を必要とする場合には、既設のマンホール蓋受枠と本考案にかかるマンホール蓋受枠Ｂを交換するだけで、マンホールの更生作業が完了することになる。
【００１７】
従って、コンクリートが劣化した既設マンホールに新たにステップを取付けたり、梯子を固定したりする方法より、遥かに更生作業が簡単で工事コストを低減させることができる。
【００１８】
実施例のように、支持脚６，６をマンホールＡの内壁に固定しなくとも、昇降時には手を張っているため、体が斜めになって梯子２にはマンホールＡの内壁方向への荷重が加わることになるので、昇降時に梯子２がバタバタすることがなく、昇降に不安を感じることがない。
【００１９】
この実施例に例示した新しいマンホールの構造によると、仮に梯子２に支障を生じた時でも、梯子２は簡単に取り替えることができるので、更生作業は容易であり、しかもマンホールを構成する直壁、片斜壁、両斜壁を製造する場合、従来のようにステップを植設するための複雑な型枠と、面倒な型枠の組立及び取り外し作業がなくなるので、マンホール製造のコストダウンに役立つ効果があり、新しいタイプのマンホールの構造として優れている。
【実施例２】
【００２０】
図３は本考案の実施例２のマンホール蓋受枠Ｂ’の平面図で、転落防止兼用の補助梯子２’を取付けた場合である。
【００２１】
この実施例２の場合、補助梯子２’の取付部１２’，１２’に図１に示す実施例１の梯子２を取付けるようにしたもので、実施例１の場合の効果と共に、作業員の昇降が一層容易になる効果がある。
【符号の説明】
【００２２】
Ａ      マンホール
Ｂ      マンホール蓋受枠
１，１’マンホール蓋受枠本体
２      梯子
３      両斜壁
４，５  直壁
６      支持脚
１１    ハンドグリップ
１２    梯子取付部
２２    ボルト
２３    ナット
【図１】
0003155474.tif 000003
【図２】
0003155474.tif 000004
【図３】
0003155474.tif 000005